(57)【特許請求の範囲】
【請求項１】
パチンコ球を拘束するねじ溝のリード角が進行方向に向かい次第に拡大するように形成されたリードスクリューと、該リードスクリューを回転させるパルスモータと、該リードスクリューの両側に形成された２列の球移動樋と、光軸が両球移動樋を跨って過ぎるように投光器と受光器とをそれぞれ向かい合わせに設けた球計数用センサとからなることを特徴としたパチンコ遊技機における球払出装置。
【発明の詳細な説明】
【０００１】
【発明の属する技術分野】
本発明は、リードスクリューを回転させることによって所期の数のパチンコ球を払出通路に払い出すパチンコ遊技機における球払出装置に関するものである。
【０００２】
【従来の技術】
パチンコ遊技機における球払出装置には、従来から種々の形態があり、パルスモータによりリードスクリューを回転させ、その回転数を制御することにより所期数のパチンコ球を払い出すように構成したものもそのうちの一つである。
【０００３】
ところで実開昭６３−３２５８１号公報に示された球払出装置では、リードスクリューに形成されるねじ溝がそのリード角を進行方向に向かい次第に拡大するものとすることにより、パチンコ球が重なり合って落下することによるセンサの検出ミスを防ぎ、払出数の検出が正確に行われるように意図している。しかしながらこの公報に示された球払出装置は、センサが払出樋の途中に設けられ、該センサにより落下中のパチンコ球を検出するものであったので、該センサによって所定数のパチンコ球が検出された後にパルスモータに停止指令が出されても該パルスモータは惰性によってリードスクリューをさらに回転させるので、パチンコ球を余計に払い出してしまうおそれがあった。特に短時間で多数のパチンコ球を払い出しできるようにするため、１つのリードスクリューの両側に２列に球移動樋を形成したものではこのような惰性によりパチンコ球が過剰に払い出されるおそれがあった。
【０００４】
【発明が解決しようとする課題】
本発明は上記欠点を解消し、充分なるパチンコ球払出能力を確保するために球移動樋を２列に形成しつつも、パルスモータの惰性回転によってパチンコ球の払い出し個数が不正確になるようなことのない球払出装置を提供しようとするものである。
【０００５】
【課題を解決するための手段】
そのために本発明のパチンコ遊技機における球払出装置は、パチンコ球を拘束するねじ溝のリード角が進行方向に向かい次第に拡大するように形成されたリードスクリューと、該リードスクリューを回転させるパルスモータと、該リードスクリューの両側に形成された２列の球移動樋と、光軸が両球移動樋を跨って過ぎるように投光器と受光器とをそれぞれ向かい合わせに設けた球計数用センサとからなることを特徴とする。
【０００６】
【発明の実施の形態】
次に図面に従い本発明の実施形態を説明する。図１〜図３において、１はリードスクリュー、２は該リードスクリューを回転させるパルスモータである。該リードスクリュー１のねじ溝１ａは、リード角αが進行方向（この場合、下方）に向かい次第に拡大するように形成されている。ちなみに図４に拡大して示したように上端部におけるリード角α１は約２０度、下端部におけるリード角α２は約４０度に設定されている。なお、該リードスクリューのねじ山は外径ｄが７ｍｍ程でパチンコ球３の直径（約１１ｍｍ）より小径なるように形成されている。
【０００７】
４はパルスモータ２に固着されたプラスチック製のケースで、該ケースには、一対の球移動樋５ａ，５ｂが該リードスクリューを両側対称位置から挟むように形成され、該球移動樋５ａ，５ｂの上方は通路６ａ，６ｂがクランク形に折れ曲がっていて、該各通路にパチンコ球３が景品球タンク（図示せず）から整流樋を介して一列に整列して自重で流下してくる。また、一対の球移動樋５ａ，５ｂの下端７ａ，７ｂは開放されていて景品球払出樋に連通している。
【０００８】
８は投光器１０と受光器１１とからなる球計数用センサで、該球計数用センサはケース４の下端部近くに固着されたコ字形の取付枠９に投光器１０と受光器１１をそれぞれ向かい合わせに取り付けられる。そしてその光軸１２がリードスクリュー１の外側で両球移動樋５ａ，５ｂを跨って過ぎるように設けられ、パチンコ球３がリードスクリュー１のねじ溝１ａからの拘束を解かれる瞬間に該光軸１２を遮ることにより、該パチンコ球３が電気信号として検出され計数される。なお、１３はケース４の下端７ａ，７ｂの間に横架状に形成された軸受で、該軸受にリードスクリュー１の先端に形成した小軸１４を軸支することにより該リードスクリュー１の支持を安定化させている。
【０００９】
パルスモータ２は図示しない球払出制御回路により回転，停止が制御され、リードスクリュー１を回転させることによって両球移動樋５ａ，５ｂ中のパチンコ球をねじ溝１ａによって拘束しつつ流下させ、下端７ａ，７ｂより景品球払出樋に排出させる。そして、両球移動樋５ａ，５ｂを通過するパチンコ球は光軸１２を遮断することによって、受光器１１から得られる電気信号が該球払出制御回路に入力され、パルスモータ２の回転が制御され、所定数のパチンコ球を景品球払出樋に排出し得る。
【００１０】
また、リードスクリュー１はそのリード角αが進行方向（この場合、下方）に向かい次第に拡大するように形成されているので、パチンコ球３はねじ溝１ａに拘束されて両球移動樋５ａ，５ｂ中を下方に移動する間に間隔が次第に離され、下端のねじ溝１ａからの拘束を解かれる瞬間ではその間隔が最も広がる。しかも両球移動樋５ａ，５ｂをパチンコ球が交互に流下するので、２つのパチンコ球が重なって光軸を遮断するようなおそれはなく、それによって検知ミスを起こすおそれがない。またこの実施形態では投光器と受光器とからなる球計数用センサをその光軸がリードスクリューの外側で両球移動樋を跨って過ぎるように設けたことによって１つの球計数用センサで両球移動樋を流下するパチンコ球を検出でき、複数の感知器を設けるよりも製造コストが軽減される利点がある。
【００１１】
なおこの実施形態では、リードスクリュー１を鉛直に設けた例を示したが、リードスクリュー１を水平、または傾斜状に設けてもよい。またこの実施形態では、光軸の遮断によりパチンコ球を検知する球計数用センサを設けたが、金属の近接、または接触によりパチンコ球を検知する近接センサ、接触センサ等を使用してもよい
【００１２】
【発明の効果】
このように本発明に係るパチンコ遊技機の球払出装置は、リードスクリューをそのリード角が進行方向に向かい次第に拡大するように形成するとともに、該リードスクリューの両側に球移動樋を形成し、該各球移動樋のパチンコ球を検出し得るように球計数用センサを設けたので、２列の球移動樋によって十分なる高速でパチンコ球を払い出すことができるとともに、パチンコ球の重なりによる検出ミスを起こすおそれ、および検出遅れによるパルスモータの惰性回転等によりパチンコ球が余計に払い出されるようなおそれが解消され、常に正確で迅速にパチンコ球を払い出し得る効果がある。
【図面の簡単な説明】
【図１】本発明に係る球払出装置の実施形態を示す縦断面図。
【図２】図１のＡ−Ａ線断面図。
【図３】図１のＢ−Ｂ線断面図。
【図４】本発明に係る球払出装置のリードスクリューの拡大側面図。
【符号の説明】
１          リードスクリュー
１ａ        ねじ溝
２          パルスモータ
３          パチンコ球
５ａ，５ｂ  球移動樋
８          球計数用センサ
１０        投光器
１１        受光器
１２        光軸
α          リード角
【図１】
0004262344.tif 000002
【図２】
0004262344.tif 000003
【図３】
0004262344.tif 000004
【図４】
0004262344.tif 000005